(57)【要約】【課題】様々な形状・大きさの収容物を包んで持ち運ぶことができると共に、手提げ、肩掛け、背負い式のように多様な携帯の仕方を可能にした多用途風呂敷を提供する。【解決手段】四隅部に把手２，３を形成した方形シート１と、該方形シート１の四辺に所定間隔を空けて複数設けた紐挿通部４，５と、前記方形シート１の隣接する二辺の紐挿通部４に挿通して設けた第一の吊紐６と、残りの二辺の紐挿通部５に挿通して設けた第ニの吊紐７とから構成してある。【選択図】図１
2009012830.tif 000002
【特許請求の範囲】
【請求項１】
四隅部に把手を形成した方形シートと、該方形シートの四辺に所定間隔を空けて複数設けた紐挿通部と、前記方形シートの隣接する二辺の紐挿通部に挿通して設けた第一の吊紐と、残りの二辺の紐挿通部に挿通して設けた第ニの吊紐とからなる多用途風呂敷。
【請求項２】
前記紐挿通部が前記方形シートの縁部に設けた挿通孔からなり、前記第一の吊紐及び第ニの吊紐が前記方形シートを縫うように挿通孔に通してある請求項１に記載の多用途風呂敷。
【請求項３】
前記第一の吊紐及び第ニの吊紐の両端部に脱落防止用ストッパーを設けた請求項１又は２に記載の多用途風呂敷。
【発明の詳細な説明】
【技術分野】
【０００１】
本発明は、持ち運びに便利な多用途風呂敷に関する。
【背景技術】
【０００２】
近年、省エネルギー及び環境保護等の観点から、いわゆるレジ袋の削減が求められている。買い物客は、レジ袋に代わる買い物袋を持参する必要があるが、一般的に利用される手提げ袋等では購入量に応じて大きさの異なる袋を用意しなければならず不便である。また、日本古来の包装・運搬具である風呂敷は、様々な形状・大きさの収容物に対応でき、小さく折り畳んで持ち運ぶこともできて便利であるが、包み方を習得する必要があり、外国人や日本人でも若い世代には普及していない。
【０００３】
また、収容物を簡単に包むことができ、吊り下げて持ち運ぶことができる風呂敷としては、風呂敷本体の四隅部又は対角の隅部に把手部を設けたもの（例えば、特許文献１，２参照）や、風呂敷本体の周囲に折り返し縁を形成してエンドレスの紐を挿通したもの（例えば、特許文献３，４参照）が知られている。
【０００４】
【特許文献１】登録実用新案第３０１５６２２号公報
【特許文献２】特開昭６３−４４４６３号公報
【特許文献３】特開２００２−１１４２６２号公報
【特許文献４】実開平７−３５３５８号公報
【発明の開示】
【発明が解決しようとする課題】
【０００５】
しかし、引用文献１及び引用文献２に記載の風呂敷は、風呂敷本体の対角方向の隅部を寄せ集めて収容物を包み込むから、箱状の収容物を包むのに優れているが、風呂敷本体の対角方向にしか係止手段が無いために、形の不規則な収容物や小物を多数個包み込むときには荷崩れがおき易いという問題があった。
【０００６】
また、引用文献３及び引用文献４に記載の風呂敷は、風呂敷本体の周囲に挿通した紐を引くことによって、風呂敷本体の各縁が絞られて袋状になるから、小物を多数個包み込むのに優れているが、箱のように角張った大きな収容物を包むのに適さないという問題があった。また、これらの風呂敷は、風呂敷本体の周囲にエンドレスの紐を挿通しているため、複数箇所で紐を引いたときに、均等に紐を引き出すのが困難である。
【０００７】
そこで、本発明は、様々な形状・大きさの収容物を包んで持ち運ぶことができると共に、手提げ、肩掛け、背負い式のように多様な携帯の仕方を可能にした多用途風呂敷を提供するものである。
【課題を解決するための手段】
【０００８】
本発明は、上記課題を解決するために、四隅部に把手を形成した方形シートと、該方形シートの四辺に所定間隔を空けて複数設けた紐挿通部と、前記方形シートの隣接する二辺の紐挿通部に挿通して設けた第一の吊紐と、残りの二辺の紐挿通部に挿通して設けた第ニの吊紐とからなる多用途風呂敷を提供するものである。
【０００９】
また、本発明の多用途風呂敷は、前記紐挿通部が前記方形シートの縁部に設けた挿通孔からなり、前記第一の吊紐及び第ニの吊紐が前記方形シートを縫うように挿通孔に通してある。
【００１０】
また、本発明の多用途風呂敷は、前記第一の吊紐及び第ニの吊紐の両端部に脱落防止用ストッパーを設けてある。
【発明の効果】
【００１１】
本発明の多用途風呂敷は、四隅部に把手を形成した方形シートと、該方形シートの四辺に所定間隔を空けて複数設けた紐挿通部と、前記方形シートの隣接する二辺の紐挿通部に挿通して設けた第一の吊紐と、残りの二辺の紐挿通部に挿通して設けた第ニの吊紐とからなる構成を有することにより、収容物を包むように方形シートの四隅部を寄せ集め、この集めた把手を纏めて持つことによって手提げ式の袋を簡単に形成することができるのみならず、第一の吊紐と第ニの吊紐の中央部を引くことによって、各縁が絞られて肩掛け又は背負い式の袋を簡単に形成することができ、様々な形状・大きさの収容物を包んで持ち運ぶことができる。また、第一の吊紐と第ニの吊紐を分けて設けたから、これらの吊紐を均等に引き出すことができ、吊紐を肩に掛けたり背負ったりしたときに吊紐が弛んで荷崩れを起こすのを防止することができる効果がある。
【００１２】
また、本発明の多用途風呂敷は、前記紐挿通部が前記方形シートの縁部に設けた挿通孔からなり、前記第一の吊紐及び第ニの吊紐が前記方形シートを縫うように挿通孔に通したことにより、方形シートの各縁がアコーデオン式に絞られるから、第一の吊紐及び第ニの吊紐を引くだけで簡単且つ確実に袋を形成することができると共に、形成された袋の形が崩れるのを防止することができる効果がある。
【００１３】
また、本発明の多用途風呂敷は、前記第一の吊紐及び第ニの吊紐の両端部に脱落防止用ストッパーを設けたことにより、第一の吊紐及び第ニの吊紐が紐挿通部から脱落するのを防止することができると共に、ストッパーと紐挿通部が係合して方形シートの各縁を絞ることができる効果がある。
【発明を実施するための最良の形態】
【００１４】
本発明の実施の形態を図示する実施例に基づいて説明する。
本発明に係る多用途風呂敷は、四隅部に把手２，３を形成した方形シート１と、該方形シート１の四辺に所定間隔を空けて複数設けた紐挿通部４，５と、前記方形シート１の隣接する二辺の紐挿通部４に挿通して設けた第一の吊紐６と、残りの二辺の紐挿通部５に挿通して設けた第ニの吊紐７とから構成してある。
【実施例１】
【００１５】
図１乃至図３に示す実施例において、方形シート１は、柔軟性を有する布、紙、合成皮革、合成樹脂フィルム等の正方形シートからなり、この正方形シートの四隅部に把手２，３を形成してある。方形シート１は、表面と裏面を布と合成皮革のように異なった素材で形成して、用途に応じて裏返して使用可能な構成にすることも可能である。図示の実施例において、方形シート１は、一方の面を布地で形成し、他方の面を合成皮革で形成してあり、通常は布地を内側にして使用することができ、生鮮食料品等の濡れ易い物を包むときは合成皮革を内側にして使用することができる。
【００１６】
また、方形シート１は、布や紙製のシートに面ファスナーで合成皮革や合成樹脂等の防水性シートを着脱自在に貼り合わせた構成にすることも可能である。通常使用時には、方形シート１から防水性シートを取り外して方形シート１の柔軟性を維持することができると共に、生鮮食料品等の濡れ易い物を包むときには、方形シート１に防水性シートを貼り付けて方形シート１に防水性を付与することができる。
【００１７】
図示の実施例において、把手２，３は、方形シート１の四隅を円弧状に丸めた把手縁部と、この把手縁部の内側に開けた半円状の把持用孔部とからなる。また、把手２，３には、把持用孔部の周囲に合成皮革や合成樹脂シート等の補強部材を接着して設けてある。なお、把手２，３は、実施例のように方形シート１と一体的に設けた構成に限らず、例えば合成樹脂で成形した把手部材を方形シート１の四隅部に接着又は挟持して設けることも可能である。
【００１８】
図１に示すように、対角に向き合った把手３，３には、一方の把手３の内側に雄面ファスナー９を設け、他方の把手３の内側に雌面ファスナー１０を設けてある。図４に示すように、方形シート１で収容物１２を包んで対向する把手３，３を合わせたときに、雄面ファスナー９が雌面ファスナー１０に係止して、対向する把手３，３を固定することができるように構成してある。同様に、対角に向き合った把手２，２には、一方の把手２の内側に雄面ファスナー９を設け、他方の把手２の内側に雌面ファスナー１０を設けてある。
【００１９】
図１乃至図３に示すように、紐挿通部４は、方形シート１の隣接するニ辺の縁部１ａに所定間隔で開けた複数個の挿通孔にハト目を設けてなり、第一の吊紐６が方形シート１を縫うように挿通孔に通してある。同様に、紐挿通部５は、方形シート１の残りの二辺の縁部１ｂに所定間隔で開けた複数個の挿通孔にハト目を設けてなり、第ニの吊紐７が方形シート１を縫うように挿通孔に通してある。なお、紐挿通部４，５は、図示の実施例に限らず、方形シート１の周囲に所定間隔で環状のベルトを設けた構成にすることも可能である。
【００２０】
第一の吊紐６及び第ニの吊紐７の両端部には、紐挿通部４，５より大きく形成した脱落防止用のストッパー８を設けてあり、このストッパー８が対向する把手３の近傍に位置するようにしてある。また、第一の吊紐６及び第ニの吊紐７の中央部には、肩当て部１１を設けてあり、この肩当て部１１が対向する把手２の近傍に位置するように構成してある。
【００２１】
次に、本発明に係る多用途風呂敷の使用方法を説明する。
図４に示すように、方形シート１の中央に収容物１２を載せ、収容物１２を包むように対向する把手３，３を引き寄せ、雄面ファスナー９を雌面ファスナー１０に係止させて把手３，３を合わせる。そして、対向する把手２，２を矢印の方向に引き、余った方形シート１で収容物１２を包み込み、図５に示すように、把手２，２を把手３，３の外側に重ね合わせると、把手２，３を把持して収容物１２を持ち運ぶことができる。
【００２２】
このとき、把手２には、重ね合わせた把手２，３に巻き回して束ねる帯状の係止具を設けてあることが好ましい。また、係止具は、把手２と把手３の合わせ面にマグネット、面ファスナー、又はフックを設けた構成にすることも可能である。
【００２３】
図６に示すように、多用途風呂敷は、第一の吊紐６及び第ニの吊紐７を引き出すことにより、肩当て部１１を肩に掛けて持ち運ぶこともできる。このとき、第一の吊紐６又は第ニの吊紐７の一方を引き出して使用することも可能である。
【００２４】
図７乃至図９は、多用途風呂敷の別の使用方法を示している。
図７に示すように、方形シート１の中央に収容物１２を載せ、収容物１２を包むように対向する把手３，３を交互に引き寄せて、収容物１２の上で把手３，３を重ね合わせる。図８に示すように、下側になる把手３又は方形シート１の上面部分に雌面ファスナー１０を設けて、他方の把手３に設けた雄面ファスナー９と係合するようにしてあることが好ましい。
【００２５】
図９に示すように、対向する把手２，２を引き寄せ、余った方形シート１で収容物１２を包み込み、雄面ファスナー９を雌面ファスナー１０に係止させて把手２，２を合わせて固定する。そして、第一の吊紐６及び第ニの吊紐７を引き出し、それぞれの吊紐に腕を通すことにより、収容物１２を包んだ風呂敷を背負って持ち運ぶこともできる。
【００２６】
図１０は、多用途風呂敷のさらに別の使用方法を示している。
方形シート１の中央に収容物１２を載せ、第一の吊紐６及び第ニの吊紐７を上方に引き出すことにより、方形シート１は縁部１ａ，１ｂが第一の吊紐６及び第ニの吊紐７によってアコーデオン式に絞られ、巾着状の袋を形成することができる。多用途風呂敷は、肩当て部１１を把持し、又は肩に掛けて収容物１２を持ち運ぶことができる。
【００２７】
本発明に係る多用途風呂敷は、第一の吊紐６と第ニの吊紐７を分けて設けたから、これらの吊紐を迅速且つ均等に引き出すことができ、簡単に誰でも巾着状の袋を形成することができ、形の不規則な収容物や小物を多数個包み込んで容易に持ち運ぶことができる。なお、多用途風呂敷は、４つの把手２，３を面ファスナー、フック等で係合させて、蓋として使用することができるように構成することも可能である。
【実施例２】
【００２８】
また、多用途風呂敷は、方形シート１の一部を二重シートに形成し、この二重シートの間に、方形シート１を折り畳んだときに収納する収納カバーを設けた構成にすることも可能である。
【実施例３】
【００２９】
また、多用途風呂敷は、方形シート１の３辺にコ字状にファスナーを設け、該ファスナーで２枚の方形シート１を接合して、収容物１２を収容する袋を形成することができるように構成にすることも可能である。
【図面の簡単な説明】
【００３０】
【図１】本発明の多用途風呂敷の一実施例を示す平面図。
【図２】その一実施例を示す底面図。
【図３】その一実施例を示すＡ−Ａ線断面図。
【図４】その一実施例の使用状態を示す斜視図。
【図５】その一実施例の使用状態を示す斜視図。
【図６】その使用状態の他の態様を示す斜視図。
【図７】その一実施例の別の使用状態を示す斜視図。
【図８】その一実施例の別の使用状態を示す断面図。
【図９】その一実施例の別の使用状態を示す斜視図。
【図１０】その一実施例のさらに別の使用状態を示す斜視図。
【符号の説明】
【００３１】
１  方形シート
１ａ，１ｂ  縁部
２，３  把手
４，５  紐挿通部
６  第一の吊紐
７  第ニの吊紐
８  ストッパー
９  雄面ファスナー
１０  雌面ファスナー
１１  肩当て部
１２  収容物
【図１】
2009012830.tif 000003
【図２】
2009012830.tif 000004
【図３】
2009012830.tif 000005
【図４】
2009012830.tif 000006
【図５】
2009012830.tif 000007
【図６】
2009012830.tif 000008
【図７】
2009012830.tif 000009
【図８】
2009012830.tif 000010
【図９】
2009012830.tif 000011
【図１０】
2009012830.tif 000012